(57)【特許請求の範囲】
【請求項１】
床面に設置される設置部材（３）と、設置部材（３）の前部から後上がりに傾斜突出された支持脚（４）と、支持脚（４）の上端に固定された上棚板（５）とを備え、支持脚（４）が長さ調整自在とされ、上棚板（５）の後部は、窓枠の桟に上側から係合可能又は平行に押し当て可能となるように設置部材（３）の後端及び支持脚（４）の上部後端よりも後方に突出されていることを特徴とするペット用見晴らし台。
【請求項２】
支持脚（４）の上棚板（５）の下方に中間棚板（６）が設けられ、中間棚板（６）の前部は上棚板（５）の前端よりも前方に突出され、中間棚板（６）の後部は設置部材（３）の後端よりも前方に配置されていることを特徴とする請求項１に記載のペット用見晴らし台。
【請求項３】
上棚板（５）の前部にその左右両端部を残して後方に没入した没入凹部（３７）が設けられていることを特徴とする請求項１又は２に記載のペット用見晴らし台。
【請求項４】
支持脚（４）は、設置部材（３）の前部の左右両側からそれぞれ後上がりに傾斜突出された左右一対の下脚体（１５）と、左右の下脚体（１５）の上部側からそれぞれ後上がりに傾斜突出された左右一対の上脚体（１６）とを備え、左右の下脚体（１５）の上端部間に中間棚板（６）が載置固定され、左右の上脚体（１６）の上端部間に上棚板（５）が載置固定され、
左右の上脚体（１６）の下部側は左右の下脚体（１５）の上部側にそれぞれ支持脚長手方向に移動調整自在に固定されていることを特徴とする請求項２に記載のペット用見晴らし台。
【請求項５】
設置部材（３）は、左右一対の前後枠体（９）を備え、左右の下脚体（１５）の下部が左右の前後枠体（９）にそれぞれ後上がりに傾斜して固定され、左右の前後枠体（９）に、左右の下脚体（１５）の下部後面を接当して受けるストッパー（１２）がそれぞれ固設されていることを特徴とする請求項４に記載のペット用見晴らし台。
【発明の詳細な説明】
【技術分野】
【０００１】
本発明は、ねこ等のペットが上って部屋の窓から外を見ることができるようにしたペット用見晴らし台に関するものである。
【背景技術】
【０００２】
ねこ等のペットは部屋の中で、窓の下枠に上って窓から外を眺めるのが好きである。そこで、ねこ等のペットが上り下りして遊ぶことができるようにした所謂キャットタワーと称されるペット用遊戯具を部屋の窓際に設置し、ねこ等のペットにペット用遊戯具の棚板上に上らせて、窓から外を眺めさせるようにすることが考えられる。
この種の従来のペット用遊戯具は、床面に設置される設置板と、設置板に上方突設した支柱と、支柱の上部に固定した複数の棚板とを備えたものが一般的である（例えば特許文献１，特許文献２）。
【０００３】
また、この種の従来のペット用遊戯具の中には、支柱を設置面と天井との間で突っ張り状態で設置するようにしたものもある（例えば特許文献２）。
【先行技術文献】
【特許文献】
【０００４】
【特許文献１】特開２０１２−２４０６６号公報
【特許文献２】特開２０１１−１０３７９７号公報
【発明の概要】
【発明が解決しようとする課題】
【０００５】
しかし、従来のペット用遊戯具の場合、支柱を設置面と天井との間で突っ張り状態にしないものでは、ペット用遊戯具は安定性が悪いため、ねこが棚板上に上り下りする際に、ペット用遊戯具が倒れたり、ぐらついたりするという問題があった。その為、棚板を窓枠の桟に直に釘やネジ又は接着材で取り付け、固定する方法が有るがこれでは一度取り付けてしまうと簡単に移動や取り外しが出来なくなる他、内装や桟に傷を付けてしまう。
【０００６】
また、支柱を設置面と天井との間で突っ張り状態で設置するようにした従来のペット用遊戯具の場合、支柱を床面から天井に達するように長く形成すると共に、支柱の上方に天井に押し当てるための天井押当て部材や天井押当て部材を高さ調整するための高さ調整機構が必要になり、全体の構造が複雑であって製造が面倒で製造費用も高く付くし、ペット用遊戯具の設置も面倒になった。
【０００７】
本発明は上記問題点に鑑み、部屋の窓際等に傷を付けることなく簡単に設置することができ、ねこ等のペットが上り下りしても倒れたりぐらついたりしないように安定に設置することができ、しかも構成が簡単で製造容易でかつ安価に製造できるペット用見晴らし台を提供することを目的としている。
【課題を解決するための手段】
【０００８】
本発明における課題解決のための具体的手段は、次の通りである。
この技術的課題を解決する本発明の技術的手段は、床面に設置される設置部材３と、設置部材３の前部から後上がりに傾斜突出された支持脚４と、支持脚４の上端に固定された上棚板５とを備え、支持脚４が長さ調整自在とされ、上棚板５の後部は、窓枠３９の桟４０に上側から係合可能又は平行に押し当て可能となるように設置部材３の後端及び支持脚４の上部後端よりも後方に突出されている点にある。
【０００９】
また、本発明の他の技術的手段は、支持脚４の上棚板５の下方に中間棚板６が設けられ、中間棚板６の前部は上棚板５の前端よりも前方に突出され、中間棚板６の後部は設置部材３の後端よりも前方に配置されている点にある。
また、本発明の他の技術的手段は、上棚板５の前部にその左右両端部を残して後方に没入した没入凹部３７が設けられている点にある。
【００１０】
また、本発明の他の技術的手段は、支持脚４は、設置部材３の前部の左右両側からそれぞれ後上がりに傾斜突出された左右一対の下脚体１５と、左右の下脚体１５の上部側からそれぞれ後上がりに傾斜突出された左右一対の上脚体１６とを備え、左右の下脚体１５の
上端部間に中間棚板６が載置固定され、左右の上脚体１６の上端部間に上棚板５が載置固定され、
左右の上脚体１６の下部側は左右の下脚体１５の上部側にそれぞれ支持脚長手方向に移動調整自在に固定されている点にある。
【００１１】
また、本発明の他の技術的手段は、設置部材３は、左右一対の前後枠体９を備え、左右の下脚体１５の下部が左右の前後枠体９にそれぞれ後上がりに傾斜して固定され、左右の前後枠体９に、左右の下脚体１５の下部後面を接当して受けるストッパー１２がそれぞれ固設されている点にある。
【発明の効果】
【００１２】
本発明によれば、ペット用見晴らし台を設置する場合、部屋の窓際の床面に設置部材を設置し、支持脚を長さ調整することによって、上棚板の後部を窓の下枠に上側から係合して、ペット用見晴し台を部屋の窓際に簡単に設置することができる。しかも、上棚板の後部が窓の桟に上側から係合、もしくは平行に押し当てられるため、ねこ等のペットが上り下りしても倒れたりぐらついたりしないように安定に設置することができる。また、従来のように支柱（支持脚）を床面から天井に達するように長く形成する必要もなくなるし、天井押当て部材や天井押当て部材を高さ調整するための高さ調整機構は不要になり、設置部材と支持脚と上棚板とを備える簡単な構成で済むようになる。また、窓枠の桟に固定する為の釘やネジで傷をつけることなくペット用見晴らし台を構成が簡単にして製造容易でかつ安価に製造できる。
【図面の簡単な説明】
【００１３】
【図１】本発明の一実施形態を示すペット用見晴らし台の斜視図である。
【図２】同ペット用見晴らし台の正面図である。
【図３】同窓の下枠の高さが１１００ｍｍの場合に適合するように支持脚を長さ調整した場合のペット用見晴らし台の側面図である。
【図４】同ペット用見晴らし台の上部の分解斜視図である。
【図５】同支持脚を長さ調整した場合のペット用見晴らし台の側面図で、（ａ）は窓の下枠の高さが１０００ｍｍの場合に適合するように調整した場合で、（ｂ）は窓の下枠の高さが９００ｍｍの場合に適合するように調整した場合で、（ｃ）は窓の下枠の高さが８００ｍｍの場合に適合するように調整した場合である。
【発明を実施するための形態】
【００１４】
以下、本発明の実施の形態を図面に基づいて説明する。
図１〜図５は本発明の一実施形態を示している。図１〜図３において、ペット用見晴らし台１は、部屋の窓際等に設置するもので、床面に設置される設置部材３と、設置部材３の前部から後上がりに傾斜突出された支持脚４と、支持脚４の上端に固定された上棚板５と、支持脚４の上棚板５下方に設けられた中間棚板６とを備えている。
【００１５】
設置部材３は、左右一対の前後枠体９と、左右の前後枠体９の後部間に連結された後部枠体１０とを備え、門型の枠状に形成されている。左右の前後枠体９の前部には、後方側よりも上方に突出した略台形状の支持脚取付部１１が形成されている。
左右の支持脚取付部１１の内面に、後述する下脚体１５の下部後面を接当して受けるストッパー１２がそれぞれ固設されている。
【００１６】
支持脚４は、設置部材３の前部の左右両側からそれぞれ後上がりに傾斜突出された左右一対の下脚体１５と、左右の下脚体１５の上部側からそれぞれ後上がりに傾斜突出された左右一対の上脚体１６とを備える。
左右の下脚体１５の下端部同士が下連結体１８により連結され、中間部同士が中間連結体２１により連結され、上端部同士が上連結体２２により連結されている。左右の下脚体１５の上端部に補強板２３がそれぞれ前方突出状に固定されている。
【００１７】
而して、左右の下脚体１５と下連結体１８と中間連結体２１と上連結体２２と左右の補強板２３とで下脚構成枠２５が形成されている。
左右の上脚体１６の中間部同士が中間連結体２７により連結され、上端部同士が上連結体２８により連結されている。左右の上脚体１６の上端部に補強板２９がそれぞれ前方突
出状に固定されている。
【００１８】
而して、左右の上脚体１６と中間連結体２１と上連結体２２と左右の補強板２９とで上脚構成枠３０が形成されている。
従って、ペット用見晴らし台１は、大きく分けて設置部材３と下脚構成枠２５と上脚構成枠３０と上棚板５と中間棚板６とからなり、これらが締結具３３で着脱自在に連結固定されている。また、下脚構成枠２５と上脚構成枠３０とで支持脚４が構成されている。
【００１９】
上棚板５は略長方形の水平な板状に形成され、上棚板５の左右幅は左右の上脚体１６の離間幅よりも大であって、中間棚板６よりも左右両側が左右方向外方に突出するように幅広に形成され、上棚板５の前部にその左右両端部を残して後方に没入した没入凹部３７が形成されている。
上棚板５は、左右の上脚体１６の上面、左右の補強板２９の上面、上連結体２８の上面に水平状に載置されて、図４にも示すように爪付きナット等を有する締結具３３で上連結体２８に締め付け固定され、これにより上棚板５が上脚体１６の上端部に載置固定されている。
【００２０】
上棚板５の後部は窓枠３９の桟４０に上側から係合または平行に押し当てる事が可能となるように設置部材３の後端及び支持脚４の上部後端よりも後方に突出されている。
図４に示すように、上棚板５の上面に保持凹部３８が形成されており、保持凹部３８に滑止シート４４が嵌合保持されている。この滑止シート４４は、例えばベニヤ板等の中芯の上面側にジュートや麻布等を貼り付けてなり、滑止シート４４の上面は上棚板１５の保持凹部３８以外（保持凹部３８の外周部）の上面と面一になっている。なお、滑止シート４４は、ジュート等に代えてゴムシートや合成樹脂シートやカーペットにより構成するようにしてもよい。
【００２１】
中間棚板６は略正方形の板状に形成され、左右の下脚体１５の上面、左右の補強板２３の上面及び上連結体２２の上面に水平状に載置されて、締結具３３で上連結体２２に締め付け固定され、これにより中間棚板６が下脚体１５の上端部に載置固定されている。
また、中間棚板６はその左右幅が左右の上脚体１６の離間幅に略対応する長さに形成されており、左右の上脚体１６の下部間に配置されている。
【００２２】
中間棚板６の前部は設置部材３の前端及び上棚板５の前端よりも前方に突出され、後部は設置部材３の後端よりも前方に配置されている。
左右の下脚体１５の下部に支持脚長手方向に離間した２つの取付孔４１がそれぞれ設けられ、設置部材３の支持脚取付部１１に前記取付孔４１に対応して２つの取付孔４２が設けられている。
【００２３】
左右の下脚体１５の下部後面がストッパー１２に接当するように、左右の下脚体１５の下部が設置部材３の支持脚取付部１１の内側に後上がりに傾斜して配置され、取付孔４１，４２にそれぞれボルトナット等の締結具３３を挿通して締め付けることにより、左右の下脚体１５の下部が左右の前後枠体９にそれぞれ後上がりに傾斜して着脱自在に固定されている。また、左右の下脚体１５の下部後面がストッパー１２に接当することにより、下脚体１５の下部後面がストッパー１２に受けられている。
【００２４】
左右の下脚体１５の上部側に、支持脚長手方向の長孔又は丸孔により構成した取付孔４５（４５ａ，４５ｂ，４５ｃ，４５ｄ，４５ｅ）が支持脚長手方向に間隔をおいて５つずつ形成されている。なお、本実施形態の場合、５つの取付孔４５のうち取付孔４５ａ，４５ｂ，４５ｃ，４５ｄの４つが支持脚長手方向の長孔により構成され、最下段の取付孔４５ｅのみが丸孔により構成されている。左右の上脚体１６の下部側に丸孔により構成した取付孔４６（４６ａ，４６ｂ，４６ｃ）が支持脚長手方向に間隔をおいて３つずつ形成されている。
【００２５】
左右の上脚体１６の下部側を左右の下脚体１５の外側面に重合配置し、５つの取付孔４５と３つの取付孔４６とを選択してボルトナット等の締結具３３で締め付け固定することにより、左右の下脚体１５と左右の上脚体１６とが支持脚長手方向に移動調整自在に固定され、これにより、支持脚４が長さ調整自在とされている。
即ち、建物の部屋の窓枠３９の桟４０は、床面からの高さＨが１１００ｍｍの場合と１
０００ｍｍの場合と９００ｍｍの場合と８００ｍｍの場合の４通りがあるため、いずれの窓枠３９の桟４０に対しても、上棚板５の後部を上側から係合できるように、支持脚４が長さ調整自在とされている。また、建物により若干の高さが異なる場合は桟４０に対して上棚板５を壁に対し平行に押し当て設置できる。
【００２６】
そして、図３に示すように、左右の下脚体１５の取付孔４５ａ，４５ｂに対して左右の上脚体１６の取付孔４６ｂ，４６ｃを一致させて、これらに締結具３３をそれぞれ挿通して締め付け固定することにより、ペット用見晴らし台１の上棚板５が、床面からの高さＨが１１００ｍｍの場合の窓枠３９の桟４０に適合するようになっている。
また、図５（ａ）に示すように、左右の下脚体１５の取付孔４５ａ，４５ｃに対して左右の上脚体１６の取付孔４６ａ，４６ｂを一致させて、これらに締結具３３を挿通して締め付け固定することにより、ペット用見晴らし台１の上棚板５が、床面からの高さＨが１０００ｍｍの場合の窓枠３９の桟４０に適合するようになっている。
【００２７】
また、図５（ｂ）に示すように、左右の下脚体１５の取付孔４５ｃ，４５ｄに対して左右の上脚体１６の取付孔４６ａ，４６ｂとを一致させて、これらに締結具３３を挿通して締め付け固定することにより、ペット用見晴らし台１の上棚板５が、床面からの高さＨが９００ｍｍの場合の窓枠３９の桟４０に適合するようになっている。
また、図５（ｃ）に示すように、左右の下脚体１５の取付孔４５ｄ，４５ｅに対して左右の上脚体１６の取付孔４６ａ，４６ｂを一致させて、これらに締結具３３を挿通して締め付け固定することにより、ペット用見晴らし台１の上棚板５が、床面からの高さＨが８００ｍｍの場合の窓枠３９の桟４０に適合するようになっている。
【００２８】
また、下脚体１５の取付孔４５ｅ以外の取付孔４５（４５ａ，４５ｂ，４５ｃ，４５ｄ）は支持脚長手方向の長孔であるから、この取付孔４５の範囲で下脚体１５に対して上脚体１６を支持脚長手方向に微調整して固定することができ、これにより、上棚板５の高さを窓枠３９の桟４０の高さに正確に一致させて、上棚板５の後部を窓枠３９の桟４０に上側からきっちり確実に係合させたり桟４０に平行に押し当てて設置ができるようになっている。
【００２９】
上記実施形態によれば、ペット用見晴らし台１を組み立てて部屋の窓際に設置する場合、例えば次のように組み立てればよい。
まず、左右の下脚体１５の下部を、その後面がストッパー１２に接当するように設置部材３の支持脚取付部１１の内側に後上がりに傾斜配置し、取付孔４１，４２にそれぞれ締結具３３を挿通して左右の下脚体１５の下部を左右の前後枠体９にそれぞれ締め付け固定する。
【００３０】
次に、上棚板５を、左右の上脚体１６の上面、左右の補強板２３の上面、上連結体２２の上面に水平状に載置して、締結具３３で上連結体２２に締め付け固定する。
その後、左右の上脚体１６の下部側を左右の下脚体１５の外側面に重合配置して、下脚体１５の上部側に締結具３３により固定する。この際に、図３、図５（ａ）、図５（ｂ）又は図５（ｃ）に示すように、５つの取付孔４５と３つの取付孔４６とを選択して締結具３３で締め付け固定することにより、上棚板５の高さが窓枠３９の桟４０の床面からの高さに合うように、支持脚４を長さ調整する。また、取付孔４５の範囲で下脚体１５に対して上脚体１６を支持脚長手方向に微調整しながら締め付け固定し、これにより、上棚板５の高さを窓枠３９の桟４０の高さに一致させて、上棚板５の後部を窓枠３９の桟４０に上側から係合させ、又は平行に押し当てる。
【００３１】
最後に、中間棚板６を、左右の下脚体１５の上面、左右の補強板２３の上面及び上連結体２２の上面に水平状に載置して、締結具３３で上連結体２２に締め付け固定すればよい。
従って、部屋の窓際の床面に設置部材３を設置し、支持脚４を長さ調整することによって、上棚板５の後部を窓枠３９の桟４０に上側から係合又は平行に押し当てて、ペット用見晴し台を部屋の窓際に簡単に設置することができる。しかも、上棚板５の後部が窓枠３９の桟４０に上側から係合または平行に当たるため、ねこ等のペットが上り下りしても倒れたりぐらついたりしないように安定に設置することができる。また、従来のように支柱
（支持脚４）を床面から天井に達するように長く形成する必要もなくなるし、天井押当て部材や天井押当て部材を高さ調整するための高さ調整機構は不要になり、設置部材３、支持脚４及び上棚板５等を備える簡単な構成で済むようになり、ペット用見晴らし台１を構成が簡単にして製造容易でかつ安価に製造できる。
【００３２】
また、本実施形態では、支持脚４の上棚板５の下方に中間棚板６が設けられ、中間棚板６の前部は上棚板５の前端よりも前方に突出され、中間棚板６の後部は設置部材３の後端よりも前方に配置されているので、上棚板５が高い位置にあってもねこ等のペットが中間棚板６を利用して上棚板５上に容易に上ることができ、便利である。
また、上棚板５の前部にその左右両端部を残して後方に没入した没入凹部３７が設けられているので、ねこ等のペットが中間棚板６から上棚板５に上る際に上棚板５の前部に足等が引っ掛からないようにスムーズに上ることができるし、また、上棚板５から中間棚板６に下りる際に上棚板５の前部に足等が引っ掛からないようにスムーズに下りることができる。
【００３３】
また、左右の前後枠体９に、左右の下脚体１５の下部後面を接当して受けるストッパー１２がそれぞれ固設されているので、左右の下脚体１５の下部後面がストッパー１２に接当することにより、下脚体１５の下部後面がストッパー１２に受けられるため、支持脚４が後上がりに傾斜しているにも拘わらず、支持脚４が下部を支点に前後方向にガタ付くのが確実に防止される。
【００３４】
なお、前記実施形態では、設置部材３は左右一対の前後枠体９と左右の前後枠体９の後部間に連結された後部枠体１０とを備える門型の枠状に形成されているが、これに代え、設置部材３を長方形その他の板状に形成してもよいし、左右一対の前後枠体９のみを備える左右一対の棒状又は板状に形成してもよい。
また、前記実施形態では、支持脚４は４段階に長さ調整自在とされているが、これに代え、例えば左右の下脚体１５と左右の上脚体１６とを互いに出退調整自在に嵌合する外筒と内筒とで構成して、支持脚４を任意の長さに長さ調整自在になるようにしてもよい。
【００３５】
また、前記実施形態では、上棚板５の上面に１枚の滑止シート４４を配置固定しているが、これに代え、上棚板５の上面に滑止シート４４を複数枚配置固定するようにしてもよいし、滑止シート４４を省略してもよい。また、上棚板５の上面に保持凹部３８を設けずに滑止シート４４を貼り付けて固定するようにしてもよい。また、滑止シート４４を中間棚板６の上面にも配置固定するようにしてもよい。
【符号の説明】
【００３６】
１      ペット用見晴らし台
３      設置部材
４      支持脚
５      上棚板
６      中間棚板
９      前後枠体
１２    ストッパー
１５    下脚体
１６    上脚体
３７    没入凹部
３９    窓枠
４０    桟
【図１】
0006026398.tif 000002
【図２】
0006026398.tif 000003
【図３】
0006026398.tif 000004
【図４】
0006026398.tif 000005
【図５】
0006026398.tif 000006